(57)【要約】      （修正有）【課題】引用元コンテンツへのリンクを含む新規コンテンツを容易に作成することができるコンテンツ作成装置及びコンテンツ作成方法を提供する。【解決手段】「この日記を元に日記を作成する」ボタンが選択されると、（ｂ）の新規コンテンツ作成画面がユーザ端末に送信、表示される。コンテンツ受付部は、ユーザ端末から新規コンテンツを受け付けて、ユーザ／文書データベースに格納するとともに、文書管理テーブルに新規コンテンツと引用元コンテンツのリンクの関係を記録する。コンテンツ送信部は、新規コンテンツ（文書ＩＤ＝０２）を配信する際には、この文書管理テーブルに基づいて引用元コンテンツ（文書ＩＤ＝０１）へのリンク（引用元リンク）を新規コンテンツに追加して配信する（（ｃ）参照）。【選択図】図２
2008084023.tif 000002
【特許請求の範囲】
【請求項１】
送信用のコンテンツを記憶するコンテンツ記憶手段と、
ユーザ端末からのコンテンツの送信要求に応じて、前記コンテンツ記憶手段からコンテンツを読み出して前記ユーザ端末に送信する第１のコンテンツ送信手段と、
前記コンテンツを送信する際に、前記コンテンツを引用元コンテンツとした新規コンテンツの作成指示を入力するためのインターフェイスを前記ユーザ端末に提供する新規コンテンツ作成指示手段と、
前記新規コンテンツの作成指示が入力された場合に、前記ユーザ端末から新規コンテンツの入力を受け付ける新規コンテンツ受付手段と、
前記新規コンテンツに前記引用元コンテンツへのリンクを付加して送信する第２のコンテンツ送信手段と、
を備えることを特徴とするコンテンツ作成装置。
【請求項２】
前記新規コンテンツ作成指示手段は、前記コンテンツを送信する際に、前記コンテンツを引用元コンテンツとした新規コンテンツの作成指示を入力するための操作部材を前記コンテンツに付加することを特徴とする請求項１記載のコンテンツ作成装置。
【請求項３】
前記新規コンテンツ作成指示手段は、前記コンテンツを引用元コンテンツとした新規コンテンツの作成指示を入力する機能を前記ユーザ端末の所定の操作部材に割り当てることを特徴とする請求項１記載のコンテンツ作成装置。
【請求項４】
前記第１のコンテンツ送信手段は、前記新規コンテンツが作成された場合に、前記引用元コンテンツに前記新規コンテンツへのリンクを付加して送信することを特徴とする請求項１から３のいずれか１項記載のコンテンツ作成装置。
【請求項５】
送信用のコンテンツを記憶するコンテンツ記憶工程と、
ユーザ端末からのコンテンツの送信要求に応じて、前記コンテンツ記憶工程からコンテンツを読み出して前記ユーザ端末に送信する第１のコンテンツ送信工程と、
前記コンテンツを送信する際に、前記コンテンツを引用元コンテンツとした新規コンテンツの作成指示を入力するためのインターフェイスを前記ユーザ端末に提供する新規コンテンツ作成指示工程と、
前記新規コンテンツの作成指示が入力された場合に、前記ユーザ端末から新規コンテンツの入力を受け付ける新規コンテンツ受付工程と、
前記新規コンテンツに前記引用元コンテンツへのリンクを付加して送信する第２のコンテンツ送信工程と、
を備えることを特徴とするコンテンツ作成方法。
【請求項６】
前記新規コンテンツ作成指示工程では、前記コンテンツを送信する際に、前記コンテンツを引用元コンテンツとした新規コンテンツの作成指示を入力するための操作部材を前記コンテンツに付加することを特徴とする請求項５記載のコンテンツ作成方法。
【請求項７】
前記新規コンテンツ作成指示工程では、前記コンテンツを引用元コンテンツとした新規コンテンツの作成指示を入力する機能を前記ユーザ端末の所定の操作部材に割り当てることを特徴とする請求項５記載のコンテンツ作成方法。
【請求項８】
前記新規コンテンツが作成された場合に、前記引用元コンテンツに前記新規コンテンツへのリンクを付加して送信する工程を更に備えることを特徴とする請求項５から７のいずれか１項記載のコンテンツ作成方法。
【発明の詳細な説明】
【技術分野】
【０００１】
本発明はコンテンツ作成装置及びコンテンツ作成方法に係り、特にコンテンツ中に別のコンテンツへのリンクを作成する技術に関する。
【背景技術】
【０００２】
従来、複数の文書を記憶するとともに、それぞれの文書の連結関係と作成状況とを文書連結情報として記憶する文書管理システムが提案されている（特許文献１）。また、特許文献２には、既に作成され蓄積されている文書例のうち、内容的に関連する文書例を参考にしながら新規文書を作成する文書作成支援装置が開示されている。
【特許文献１】特開２０００−２２２３９２号公報
【特許文献２】特開２００４−１０２８８７号公報
【発明の開示】
【発明が解決しようとする課題】
【０００３】
近年、電子掲示板、ウェブログ又はソーシャルネットワーキングサービス（ＳＮＳ）のような、インターネットを介して日記や特定のコミュニティ向けの記事等のコンテンツを配信するサービスが普及している。上記のようなサービスでは、他人の日記やコミュニティの記事等（以下、引用元コンテンツという）を引用して、引用元コンテンツに関連する新規コンテンツを作成する場合に、閲覧者の利便性を高めるために、新規コンテンツと引用元コンテンツを容易に参照できるようにすることが望まれる。このため、従来は、新規コンテンツに引用元コンテンツの内容を引用したり、引用元コンテンツへのリンクを作成することが行われている。しかしながら、「引用元コンテンツの文章等をコピーして、新規コンテンツの作成画面に貼り付ける」又は「引用元コンテンツのＵＲＬをコピーして貼り付ける」作業は、コンテンツ作成者にとって煩わしいという問題があった。特に、携帯電話のように、文字入力用の操作部材やポインティングデバイスの操作性が悪い端末では、上記のような作業を行うのはより面倒である。
【０００４】
本発明はこのような事情に鑑みてなされたもので、引用元コンテンツへのリンクを含む新規コンテンツを容易に作成することができるコンテンツ作成装置及びコンテンツ作成方法を提供することを目的とする。
【課題を解決するための手段】
【０００５】
上記課題を解決するために、本願発明１に係るコンテンツ作成装置は、送信用のコンテンツを記憶するコンテンツ記憶手段と、ユーザ端末からのコンテンツの送信要求に応じて、前記コンテンツ記憶手段からコンテンツを読み出して前記ユーザ端末に送信する第１のコンテンツ送信手段と、前記コンテンツを送信する際に、前記コンテンツを引用元コンテンツとした新規コンテンツの作成指示を入力するためのインターフェイスを前記ユーザ端末に提供する新規コンテンツ作成指示手段と、前記新規コンテンツの作成指示が入力された場合に、前記ユーザ端末から新規コンテンツの入力を受け付ける新規コンテンツ受付手段と、前記新規コンテンツに前記引用元コンテンツへのリンクを付加して送信する第２のコンテンツ送信手段とを備えることを特徴とする。
【０００６】
本願発明１によれば、引用元コンテンツとともに、新規コンテンツの作成指示を入力するためのインターフェイスを前記ユーザ端末に提供することにより、引用元のコンテンツへのリンクを有する新規コンテンツを作成することができる。これにより、引用元コンテンツと新規コンテンツとの間で相互参照が可能なコンテンツの作成を自動化することができる。
【０００７】
本願発明２は、本願発明１のコンテンツ作成装置において、前記新規コンテンツ作成指示手段は、前記コンテンツを送信する際に、前記コンテンツを引用元コンテンツとした新規コンテンツの作成指示を入力するための操作部材を前記コンテンツに付加することを特徴とする。
【０００８】
本願発明３は、本願発明１のコンテンツ作成装置において、前記新規コンテンツ作成指示手段は、前記コンテンツを引用元コンテンツとした新規コンテンツの作成指示を入力する機能を前記ユーザ端末の所定の操作部材に割り当てることを特徴とする。
【０００９】
本願発明４は、本願発明１から３のコンテンツ作成装置において、前記第１のコンテンツ送信手段は、前記新規コンテンツが作成された場合に、前記引用元コンテンツに前記新規コンテンツへのリンクを付加して送信することを特徴とする。
【００１０】
本願発明４によれば、引用元コンテンツ側に新規コンテンツへのリンクを自動的に作成することができる。
【００１１】
本願発明５に係るコンテンツ作成方法は、送信用のコンテンツを記憶するコンテンツ記憶工程と、ユーザ端末からのコンテンツの送信要求に応じて、前記コンテンツ記憶工程からコンテンツを読み出して前記ユーザ端末に送信する第１のコンテンツ送信工程と、前記コンテンツを送信する際に、前記コンテンツを引用元コンテンツとした新規コンテンツの作成指示を入力するためのインターフェイスを前記ユーザ端末に提供する新規コンテンツ作成指示工程と、前記新規コンテンツの作成指示が入力された場合に、前記ユーザ端末から新規コンテンツの入力を受け付ける新規コンテンツ受付工程と、前記新規コンテンツに前記引用元コンテンツへのリンクを付加して送信する第２のコンテンツ送信工程とを備えることを特徴とする。
【００１２】
本願発明６は、本願発明５のコンテンツ作成方法において、前記新規コンテンツ作成指示工程では、前記コンテンツを送信する際に、前記コンテンツを引用元コンテンツとした新規コンテンツの作成指示を入力するための操作部材を前記コンテンツに付加することを特徴とする。
【００１３】
本願発明７は、本願発明５のコンテンツ作成方法において、前記新規コンテンツ作成指示工程では、前記コンテンツを引用元コンテンツとした新規コンテンツの作成指示を入力する機能を前記ユーザ端末の所定の操作部材に割り当てることを特徴とする。
【００１４】
本願発明８は、本願発明５から７のコンテンツ作成方法において、前記新規コンテンツが作成された場合に、前記引用元コンテンツに前記新規コンテンツへのリンクを付加して送信する工程を更に備えることを特徴とする。
【発明の効果】
【００１５】
本発明によれば、引用元コンテンツの閲覧画面における簡易な操作で新規コンテンツの作成画面に移行し、引用元のコンテンツとの間で相互のリンクを有する新規コンテンツを作成することができる。これにより、引用元コンテンツと新規コンテンツとの間で相互参照が可能なコンテンツの作成を自動化することができる。
【発明を実施するための最良の形態】
【００１６】
以下、添付図面に従って本発明に係るコンテンツ作成装置及びコンテンツ作成方法の好ましい実施の形態について説明する。
【００１７】
［第１の実施形態］
図１は、本発明の第１の実施形態に係るコンテンツ作成装置の主要構成を示すブロック図である。図１に示すように、コンテンツ作成装置１０は、ネットワークを介してユーザ端末１００にコンテンツを送信するとともに、送信したコンテンツに対する書き込みを受け付ける装置であり、コンテンツ送信サーバ１２、文書管理テーブル１４及びユーザ／文書データベース１６を含んでいる。
【００１８】
ユーザ端末１００は、例えば、携帯電話機により構成され、コンテンツや画像、各種の操作メニューを表示するための表示部１０２と、コンテンツの送信要求や文字入力、操作メニューの選択を行うための入力部１０４を備えている。
【００１９】
ユーザ／文書データベース１６は、ユーザの登録情報（例えば、ユーザＩＤ、パスワード、ユーザ端末１００の端末情報、電子メールアドレス等の個人情報及び課金情報）、及び登録ユーザからアップロードされた配信用のコンテンツを格納する。なお、配信用のコンテンツには、それぞれ固有の文書ＩＤが割り当てられる。
【００２０】
コンテンツ送信サーバ１２は、ユーザ／文書データベース１６に格納されたコンテンツをユーザ端末１００に対して送信するとともに、ユーザ端末１００からの新規コンテンツのアップロードを受け付けるウェブサーバとして機能し、ユーザ認証部１８、コンテンツ送信部２０及びコンテンツ受付部２２を備えている。
【００２１】
ユーザ認証部１８は、ユーザ端末１００からのコンテンツの送信要求を受け付けるとともに、当該ユーザ端末１００を特定するための識別子（例えば、携帯電話機に固有の端末情報又はユーザＩＤとパスワードの組み合わせ等）を取得してユーザの認証を行う。
【００２２】
コンテンツ送信部２０は、ユーザ端末１００からのコンテンツの送信要求に応じて、ユーザ／文書データベース１６からコンテンツを読み出してユーザ端末１００に送信する。コンテンツ送信部２０から送信されたコンテンツは、クライアント端末１００により正常に受信されると表示部１０２に表示される。
【００２３】
図２は、引用元コンテンツ及び新規コンテンツの例を示す図である。図２（ａ）に示すように、コンテンツ作成装置１０から送信されるコンテンツには、「この日記にコメントを書く」、「この日記を元に日記を作成する」及び「この日記を元にメッセージを作成する」ボタンが設けられている。「この日記にコメントを書く」ボタンが選択されると、図２（ａ）のコンテンツに対するコメントの入力画面が表示部１０２に表示され、コメントが入力されて送信されると、上記コンテンツの［コメント］欄にコメントが追加される。「この日記を元にメッセージを作成する」ボタンが選択されると、この日記の著者「太郎」に対する電子メールの入力画面が表示部１０２に表示される。そして、ユーザ端末１００からコンテンツ作成装置１０にメッセージが選択されると、コンテンツ作成装置１０に登録された日記の著者「太郎」の電子メールアドレスに対してこのメッセージが送信される。
【００２４】
「この日記を元に日記を作成する」ボタンが選択されると、ユーザ端末１００からコンテンツ作成装置１０に新規コンテンツ作成画面の送信要求が送信される。新規コンテンツ作成画面の送信要求は、例えば、ユーザ端末１００の端末情報とともに送信される。
【００２５】
コンテンツ作成装置１０側では、ユーザ認証部１８によりユーザ認証が行われる。上記送信要求を送信したユーザ端末１００が登録ユーザのものである場合には、コンテンツ送信部２０により、図２（ｂ）の新規コンテンツ作成画面がユーザ端末１００に送信され、表示部１０２に表示される。一方、登録ユーザのものではない場合には、ユーザ登録画面が送信されて、ユーザ登録、課金登録等が行われた後に、新規コンテンツ作成画面がユーザ端末１００に送信されて表示部１０２に表示される。そして、ユーザ端末１００において、新規コンテンツ作成画面に、コンテンツの文章や画像等が入力されて、コンテンツ作成装置１０に送信される。
【００２６】
コンテンツ受付部２２は、ユーザ端末１００から送信された新規コンテンツを受け付けて、ユーザ／文書データベース１６に格納するとともに、文書管理テーブル１４に新規コンテンツと引用元コンテンツのリンクの関係を記録する。
【００２７】
図３は、文書管理テーブル１４の例を示す図である。図３に示すように、文書管理テーブル１４には、ユーザ／文書データベース１６に格納されたコンテンツの文書ＩＤと、ユーザＩＤ、アップロードされた日時等と、引用元コンテンツの文書ＩＤである引用元リンクＩＤ、及び当該コンテンツを引用した新規コンテンツの文書ＩＤである被引用リンクＩＤとが関連付けられて格納されている。コンテンツ送信部２０は、新規コンテンツ（文書ＩＤ＝０２）を配信する際には、この文書管理テーブルに基づいて引用元コンテンツ（文書ＩＤ＝０１）へのリンク（引用元リンク）を新規コンテンツに追加して配信する（図２（ｃ）参照）。また、新規コンテンツが作成されると、コンテンツ送信部２０は、引用元コンテンツ（文書ＩＤ＝０１）を配信する際に、引用元コンテンツに上記新規コンテンツ（文書ＩＤ＝０２）へのリンク（被引用リンク）を追加する。
【００２８】
次に、コンテンツ作成装置１０における引用元コンテンツと新規コンテンツの間でリンクを作成する処理について、図４のフローチャートを参照して説明する。まず、ユーザ端末１００からコンテンツの送信要求が送信されると、コンテンツ送信部２０により引用元コンテンツが送信される（ステップＳ１０）。そして、「この日記を元に日記を作成する」ボタンが選択されると、ユーザ端末１００からコンテンツ作成装置１０に新規コンテンツの作成要求が送信されて（ステップＳ１２）、コンテンツ送信部２０からユーザ端末１００に新規コンテンツ作成画面が提供される（ステップＳ１４）。
【００２９】
次に、ユーザ端末１００により新規コンテンツ作成画面に入力された新規コンテンツの文書や画像を受け付けると（ステップＳ１６）、コンテンツ送信部２０により新規コンテンツに引用元リンクが付与されて配信されるとともに（ステップＳ１８）、文書管理テーブル１４に新規コンテンツが登録される（ステップＳ２０）。
【００３０】
本実施形態によれば、引用元コンテンツの閲覧画面において「この日記を元に日記を作成する」ボタンを選択するだけで、新規コンテンツの作成画面に移行し、引用元のコンテンツとの間で相互のリンクを有する新規コンテンツを作成することができる。これにより、引用元コンテンツと新規コンテンツとの間で相互参照が可能なコンテンツの作成を自動化することができる。
【００３１】
［第２の実施形態］
次に、本発明の第２の実施形態について説明する。なお、コンテンツ送信装置１０の構成については、上記の実施形態と同様であるため説明を省略する。
【００３２】
図５は、引用元コンテンツ及び新規コンテンツの例を示す図である。本実施形態では、図５（ａ）に示すように、上記図２（ａ）の「この日記にコメントを書く」、「この日記を元に日記を作成する」及び「この日記を元にメッセージを作成する」ボタンの機能がユーザ端末１００の操作部１０４の所定のキーに割り当てられている。「この日記を元にメッセージを作成する」ボタンの機能は、例えば、「＃」キーに割り当てられており、図５（ａ）の表示時に、「＃」キーが押下されると、上記実施形態と同様にユーザ認証が行われて、図５（ｂ）の新規コンテンツ作成画面が表示される。
【００３３】
本実施形態によれば、「この日記を元にメッセージを作成する」ボタンの選択操作を省略することができ、リンク付き新規コンテンツの作成がより容易になる。
【図面の簡単な説明】
【００３４】
【図１】本発明の第１の実施形態に係るコンテンツ作成装置の主要構成を示すブロック図
【図２】引用元コンテンツ及び新規コンテンツの例を示す図
【図３】文書管理テーブル１４の例を示す図
【図４】コンテンツ作成装置１０における引用元コンテンツと新規コンテンツの間でリンクを作成する処理を示すフローチャート
【図５】引用元コンテンツ及び新規コンテンツの例を示す図
【符号の説明】
【００３５】
１０…コンテンツ送信装置、１２…コンテンツ送信サーバ、１４…文書管理テーブル、１６…ユーザ／文書データベース、１８…ユーザ認証部、２０…コンテンツ送信部、２２…コンテンツ受付部
【図１】
2008084023.tif 000003
【図２】
2008084023.tif 000004
【図３】
2008084023.tif 000005
【図４】
2008084023.tif 000006
【図５】
2008084023.tif 000007